(57)【要約】固相担体上においてペプチドの良好な固定化量を得ることができるペプチドの固定化技術を提供する。このため、本発明では、ペプチドを固相担体上へ固定化する際、ペプチドとともに界面活性剤とを固相担体上に存在させるようにする。こうすることで、固定化量を向上させることができる。
2009096490.tif 000002
【特許請求の範囲】
【請求項１】
ペプチドを固相担体上へ固定化するためのペプチド固定化用溶液であって、
界面活性剤を含有する、溶液。
【請求項２】
前記界面活性剤は、前記界面活性剤を含有しないペプチド固定化用溶液を用いた場合と比較して、前記固相担体上への前記ペプチドの固定化量を増加させることができる界面活性剤である、請求項１に記載の溶液。
【請求項３】
前記界面活性剤はイオン性界面活性剤を含む、請求項１又は２に記載の溶液。
【請求項４】
前記界面活性剤はアニオン系界面活性剤を含む、請求項１〜３のいずれかに記載の溶液。
【請求項５】
前記界面活性剤はドデシル硫酸ナトリウムを含む、請求項４に記載の溶液。
【請求項６】
さらに、塩を含有する、請求項１〜５のいずれかに記載の溶液。
【請求項７】
前記ペプチドは、５０残基以下のアミノ酸残基からなるペプチドである、請求項１〜６のいずれかに記載の溶液。
【請求項８】
圧電駆動又は静電駆動による液滴吐出方式での固相担体への供給用である、請求項１〜７のいずれかに記載の溶液。
【請求項９】
ペプチドの固相担体上への供給方法であって、
固相担体上において界面活性剤とともに前記ペプチドが共存する状態を形成するように前記ペプチドを前記固相担体に供給する工程、
を備える、供給方法。
【請求項１０】
前記ペプチド供給工程は、前記ペプチドと前記界面活性剤とを含有するペプチドの固定化用溶液を準備し、前記固相担体上に前記ペプチド固定化用溶液を供給する工程である、請求項９に記載の供給方法。
【請求項１１】
前記固相担体はプレート状であり、
前記ペプチド固定化用溶液の供給工程は、前記ペプチド固定化用溶液を、圧電駆動又は静電駆動による液滴吐出方式によって液滴として前記固相担体上に吐出する工程である、請求項９又は１０に記載の供給方法。
【請求項１２】
ペプチドが固相担体に固定化されたペプチド固定化体の製造方法であって、
前記固相担体上において界面活性剤とともに前記ペプチドが共存する状態を形成するように前記ペプチドを前記固相担体に供給する工程と、
前記固相担体上に供給された前記ペプチドを前記固相担上に固定化する工程と、
を備える、製造方法。
【請求項１３】
前記ペプチド供給工程は、前記ペプチドと界面活性剤とを含有する１種又は２種以上のペプチド固定化用溶液を準備し、前記ペプチド固定化用溶液を前記固相担体上に供給する工程である、請求項１２に記載の製造方法。
【請求項１４】
前記界面活性剤は、アニオン系界面活性剤である、請求項１２又は１３に記載の製造方法。
【請求項１５】
前記界面活性剤は、ドデシル硫酸ナトリウムを含む、請求項１４に記載の製造方法。
【請求項１６】
前記ペプチド固定化用溶液は、さらに、塩を含有する、請求項１２〜１５のいずれかに記載の製造方法。
【請求項１７】
前記ペプチドは、５０残基以下のアミノ酸残基からなるペプチドである、請求項１２〜１６のいずれかに記載の製造方法。
【請求項１８】
前記固相担体はプレート状であり、
前記ペプチド供給工程は、前記ペプチド固定化用溶液を、圧電駆動又は静電駆動による液滴吐出方式によって液滴として前記固相担体上に吐出する工程である、請求項１３〜１７のいずれかに記載の製造方法。
【請求項１９】
ペプチドが固相担体に固定化されたペプチド固定化体であって、
請求項１２〜１８のいずれかに記載の製造方法によって得られる、ペプチド固定化体。
【請求項２０】
ペプチドアレイであって、
プレート状の固相担体と、
前記固相担体上にある２個以上の評価領域であって、１種又は２種以上のペプチドと１種又は２種以上の界面活性剤とをそれぞれ保持する評価領域と、
を備える、ペプチドアレイ。
【請求項２１】
前記１種類又は２種類以上の界面活性剤はアニオン系界面活性剤を含む、請求項２０に記載のペプチドアレイ。
【請求項２２】
前記１種又は２種以上のペプチドは、５０残基以下のアミノ酸残基からなるペプチドを含む、請求項２０又は２１に記載のペプチドアレイ。
【発明の詳細な説明】
【技術分野】
【０００１】
本発明は、ペプチドの固定化用溶液及びその利用に関し、詳しくは、ペプチド固定化用溶液、ペプチドを固定化した固相担体の製造方法、ペプチドアレイ及びペプチドアレイの使用方法に関する。
【背景技術】
【０００２】
疾患に関するメカニズムに関し、近年、タンパク質やペプチドが着目されるようになってきている。ゲノム解析により疾患関連遺伝子及びその合成物/それをコードするタンパク質に関する情報が得られるようになってきているが、実際の診断や創薬にはタンパク質の機能解析が必要となる。また、各種の発症メカニズムを解析し、診断や治療に役立てるためには、タンパク質を介した細胞内シグナル伝達について情報を得る必要がある。タンパク質やペプチドについて網羅的解析が必要である。【０００３】
既にＤＮＡ等核酸に関する網羅的解析は、ＤＮＡマイクロアレイ等により実現されているが、タンパク質については網羅的に取得することが困難であるとともに、その生理活性を維持して固定化することは極めて困難である。一方、タンパク質に比べて小分子であるペプチドは、タンパク質に比して化学合成が容易であり、また、タンパク質ほど変性の問題がないと考えられる。【０００４】
この種のペプチドアレイとしては、ペプチドを有機溶媒やＤＭＳＯを含む固定化用溶液で固定化するものが知られている（Ｔａｐｉａ  Ｖら，  Ａｎａｌ  Ｂｉｏｃｈｅｍ．  ３６３，  １０８−１１８．  （２００７）。ペプチドアレイは、細胞内シグナル伝達等に関連する基質探索、リガンド探索、インヒビター探索のほか、アレルゲン探索や新たな生理活性ペプチド探索への用途が期待されている。
【発明の概要】
【０００５】
ペプチドを固定化して各種作用を探索するには、感度が良好でかつ信頼性の高い評価系を構築する必要がある。例えば、ペプチドをアレイ化する場合には、固相担体上の個別の評価領域（典型的にはスポット）において、より多くのペプチドを固定化し、個別の評価領域間のペプチド固定化量の変動を抑制することが求められる。しかしながら、本発明者らによれば、実際のところ、固相担体へのペプチドの評価領域あたりの固定化量は必ずしも十分でなくしかも評価領域間の固定化量も変動も大きいことがわかった。
【０００６】
そこで、本発明は、固相担体上においてペプチドの良好な固定化量を得ることができるペプチドの固定化技術を提供することを一つの目的とする。また、本発明は、固相担体上においてペプチドの安定化した固定化量を得ることができるペプチドの固定化技術を提供することを他の一つの目的とする。さらに、本発明は、より信頼性の高い評価系を構築できるペプチドの固定化技術を提供することを他の一つの目的とする。
【０００７】
本発明者らは、上記した課題を解決するべく、固相担体上へのペプチドを固定化する手法について種々検討したところ、ペプチドを溶解して含有するペプチド固定化用溶液中にドデシル硫酸ナトリウムなどの界面活性剤を含有させることで、固定化量が向上しかつ固定化量の変動も低減できるという知見を得た。本発明者らは、この知見に基づき本発明を完成した。すなわち、本発明によれば、以下の手段が提供される。
【０００８】
（１）  ペプチドを固相担体上へ固定化するためのペプチド固定化用溶液であって、
界面活性剤を含有する、溶液。
（２）前記界面活性剤は、前記界面活性剤を含有しないペプチド固定化用溶液を用いた場合と比較して、前記固相担体上への前記ペプチドの固定化量を増加させることができる界面活性剤である、（１）に記載の溶液。
（３）  前記界面活性剤はイオン性界面活性剤を含む、（１）又は（２）に記載の溶液。
（４）  前記界面活性剤はアニオン系界面活性剤を含む、（１）〜（３）のいずれかに記載の溶液。
（５）  前記界面活性剤はドデシル硫酸ナトリウムを含む（４）に記載の溶液。
（６）  さらに、塩を含有する、（１）〜（５）のいずれかに記載の溶液。
（７）  前記ペプチドは、５０残基以下のアミノ酸残基からなるペプチドである、（１）〜（６）のいずれかに記載の溶液。
（８）  圧電駆動又は静電駆動による液滴吐出方式での固相担体への供給用である、（１）〜（７）のいずれかに記載の溶液。
（９）  ペプチドの固相担体上への供給方法であって、
固相担体上において界面活性剤とともに前記ペプチドが共存する状態を形成するように前記ペプチドを前記固相担体に供給する工程、
を備える、供給方法。
（１０）  前記ペプチド供給工程は、前記ペプチドと前記界面活性剤とを含有するペプチドの固定化用溶液を準備し、前記固相担体上に前記ペプチド固定化用溶液を供給する工程である、（９）に記載の供給方法。
（１１）  前記固相担体はプレート状であり、
前記ペプチド固定化用溶液の供給工程は、前記ペプチド固定化用溶液を、圧電駆動又は静電駆動による液滴吐出方式によって液滴として前記固相担体上に吐出する工程である、（９）又は（１０）記載の供給方法。
（１２）  ペプチドが固相担体に固定化されたペプチド固定化体の製造方法であって、
前記固相担体上において界面活性剤とともに前記ペプチドが共存する状態を形成するように前記ペプチドを前記固相担体に供給する工程と、
前記固相担体上に供給された前記ペプチドを前記固相担上に固定化する工程と、
を備える、製造方法。
（１３）  前記ペプチド供給工程は、前記ペプチドと界面活性剤とを含有する１種又は２種以上のペプチド固定化用溶液を準備し、前記ペプチド固定化用溶液を前記固相担体上に供給する工程である、（１２）記載の製造方法。
（１４）  前記界面活性剤は、アニオン系界面活性剤である、（１２）又は（１３）に記載の製造方法。
（１５）  前記界面活性剤は、ドデシル硫酸ナトリウムを含む、（１４）に記載の製造方法。
（１６）  前記ペプチド固定化用溶液は、さらに、塩を含有する、（１２）〜（１５）のいずれかに記載の製造方法。
（１７）  前記ペプチドは、５０残基以下のアミノ酸残基からなるペプチドである、（１２）〜（１６）のいずれかに記載の製造方法。
（１８）  前記固相担体はプレート状であり、
前記ペプチド供給工程は、前記ペプチド固定化用溶液を、圧電駆動又は静電駆動による液滴吐出方式によって液滴として前記固相担体上に吐出する工程である、（１３）〜（１７）のいずれかに記載の製造方法。
（１９）ペプチドが固相担体に固定化されたペプチド固定化体であって、
（１２）〜（１８）のいずれかに記載の製造方法によって得られる、ペプチド固定化体。
（２０）ペプチドアレイであって、
プレート状の固相担体と、
前記固相担体上にある２個以上の評価領域であって、１種又は２種以上のペプチドと１種又は２種以上の界面活性剤とをそれぞれ保持する評価領域と、
を備える、ペプチドアレイ。
（２２）前記１種類又は２種類以上の界面活性剤はアニオン系界面活性剤を含む、（２１）に記載のペプチドアレイ。
（２３）  前記１種又は２種以上のペプチドは、５０残基以下のアミノ酸残基からなるペプチドを含む、（２１）又は（２２）に記載のペプチドアレイ。
【図面の簡単な説明】
【０００９】
【図１】本発明のペプチド固定化用溶液を固相担体上に付与して形成される状態を示す図である。
【図２】実施例１で作製したペプチドアレイを模式的に表す図である。
【図３】実施例１で得られたペプチドの固定化量についての評価結果を示す図である。
【図４】実施例１で得られたスポット径についての評価結果を示す図である。
【図５】実施例２で作製したペプチドアレイを模式的に表す図である。
【図６】ペプチドアレイの保存安定性の評価結果を示す図である。
【図７】ペプチドアレイ内の同一検体についての固定化量のバラツキの評価結果を示す図である。
【発明を実施するための形態】
【００１０】
本発明は、ペプチド固定化用溶液及びその利用に関している。すなわち、本発明は、ペプチド固定化用溶液、ペプチドの固相担体上への供給方法、ペプチドが保持された固相担体の製造方法、ペプチドが保持された固相担体、ペプチドアレイ及びペプチドアレイの使用方法等に関している。
【００１１】
本発明のペプチド固定化用溶液によれば、図１に示すように、固相担体上にペプチドを固定化するとき、固定化しようとするペプチドとともに界面活性剤も固相担体上に供給される。すなわち、固相担体上においてペプチドと界面活性剤とが共存する状態が形成される。このような状態が形成されると、ペプチドの固定化量が増大され、また、ペプチドの固定化量が安定化される。
【００１２】
必ずしも推論であって本発明を拘束するものではないが、ペプチドは構成するアミノ酸に応じた電荷や極性（非極性）を呈する。疎水性基及び親水性基を有する界面活性剤は、このようなペプチドと相互作用して吸着配向することにより、固相担体へのペプチドの吐出や固定化の環境を整える。このようなペプチドと界面活性剤との相互作用が、ペプチドの固相担体への固定化に寄与しているものと推測される。
【００１３】
以上のことから、本発明のペプチド固定化用溶液によれば、固相担体上において良好なペプチド固定化量を得ることができる。また、本発明のペプチド固定化用溶液によれば、固相担体上において安定した固定化量を得ることができる。さらに、より信頼性の高い評価系を構築することができる。
【００１４】
さらに、本発明のペプチド固定化用溶液によれば、界面活性剤を含むことにより、ペプチドが界面活性剤により均一に溶解され、表面張力も低下されることから、液滴吐出方式によって固相担体に液滴として吐出される供給形態に適したものとなっている。
【００１５】
本発明の他の実施形態も、いずれも固相担体上においてペプチドと界面活性剤とが共存することによる作用に基づいて上記効果を得ることができる。以下、本発明のこれらの実施形態について、適宜図面を参照しながら詳細に説明する。図１は、本発明のペプチド固定化用溶液が固相担体上に液滴として供給された状態を示す。
【００１６】
なお、本明細書において、「ペプチド」とは、２個以上のアミノ酸がペプチド結合（−ＣＯ−ＮＨ−）により結合して生じる化合物を意味するものとする。
【００１７】
また、本明細書において、「ペプチドの固定化」とは、上記「ペプチド」を、固相担体上にその表面との何らかの相互作用により固定することを意味するものとする。相互作用は限定されないで、水素結合、双極子相互作用、親水性又は疎水性相互作用、イオン結合、静電結合、共有結合等が含まれる。
【００１８】
また、本明細書において、「固相担体」とは、ペプチドが固定化される固相を少なくとも一部に有する物体を意味する。本発明の固相担体は、特に限定されない。固相担体の有する固相の性状も限定されない。
【００１９】
（ペプチド固定化用溶液）
ペプチド固定化用溶液は、ペプチドを固相担体上に固定化することを最終的な目的として、少なくともペプチドを固相担体上に供給するための溶液である。ペプチドは、この溶液中において溶質として存在している。この溶液の溶媒は水性媒体であることが好ましい。水性媒体とは、水、又は水と相溶する有機溶媒との混液を含んでいる。有機溶媒としては、特に限定しないが、ＤＭＳＯ等が挙げられる。ペプチド固定化用溶液のｐＨは、適宜決定されるが、ｐＨ４〜１０程度とすることができる。
【００２０】
（ペプチド)
本発明のペプチド固定化用溶液において固定化対象とするペプチドとしては、天然由来のものであってもいし、合成のものであってもよい。天然由来のペプチドとは、天然に存在するもの又はその断片を含んでいる。また、合成ペプチドとは、例えば、周知の固相合成法等により化学的に合成するものであってもよいし、遺伝子工学的に合成するものであってもよい。また、天然由来のペプチドに基づいて改変して合成したものであってもよい。
【００２１】
固定化されるペプチドとしては、所定の酵素の基質認識部位のアミノ酸配列を有するペプチド、所定のレセプターと結合するリガンド認識部位のアミノ酸配列を有するペプチド、所定のレセプターや酵素のインヒビターの結合部位となるアミノ酸配列を有するペプチド、抗体が結合するペプチド又はそのエピトープとなるアミノ酸配列を有するペプチド、サイトカイン、ホルモンなどの種々の生理活性ペプチド又はその活性部位のアミノ酸配列を有するペプチドが挙げられる。なお、固定化されるペプチドは、上述のようなアミノ酸配列を有している可能性があれば足りる。
【００２２】
固定化されるペプチドは、特に固相担体表面の官能基と架橋させたり縮合させたりする官能基を別途保持している必要はないが、こうした化学修飾を排除するものではない。例えば、このような官能基等としては、固相担体の表面に形成された官能基の種類にもよるが、システイン若しくはチオール基、オキシアミノ基などが挙げられる。また、固定化されるペプチドは、適当なリンカーとなるアミノ酸配列を備えていてもよい。リンカーは、固相担体に化学結合等により結合させる場合等に適宜用いられる。リンカーに化学結合形成に必要な官能基や修飾することが好ましい。リンカーを構成するアミノ酸残基数は特に限定しないが、全体として固定化に有利な長さを超えないことが好ましい。
【００２３】
固定化されるペプチドの構成アミノ酸残基数は特に限定されないが、固定化能を考慮すると、好ましくは５０個以下であり、より好ましくは３０個以下であり、さらに好ましくは、２０個以下である。さらに、好ましくは１０個以下である。また、固定化されるペプチドのアミノ酸残基数は、評価しようとする相互作用の種類によっても異なるが、合成の困難性、スクリーニングにおける特異性と効率等を考慮すると、３０個以下であることが好ましい。また、エピトープ探索等を考慮すると、より好ましくは２０個以下である。また、抗体がエピトープとして認識する残基数や立体障害を回避するための所謂リンカー部位の必要性を考慮すると、６個以上であることが好ましい。
【００２４】
１つのペプチド固定化用溶液は、１種のペプチドのみを含有していてもよいし、２種類以上のペプチドを含有していてもよい。固相担体上の一つの評価領域に１種のペプチドのみを供給し固定化して、各ペプチドと被験試料との相互作用を評価してもよいし、一つの評価領域に２種以上のペプチドを供給して２種以上のペプチドと被験試料との相互作用を評価するようにしてもよい。
【００２５】
（界面活性剤）
本発明のペプチド固定化用溶液は界面活性剤を含有することができる。本発明において界面活性剤としては、少なくとも固定化しようとするペプチドを可溶化できるものであればよいが、その界面活性剤を含有しないペプチド固定化用溶液を用いた場合と比較して、固相担体上へのペプチドの固定化量を増加させることができる界面活性剤であることが好ましい。こうした界面活性剤を用いることにより、固相担体上へのペプチドの固定化量を増大させることができる。
【００２６】
界面活性剤としては、イオン性界面活性剤、非イオン性界面活性剤、両性界面活性剤がある。本発明においては、イオン性界面活性を好ましく用いることができる。ペプチドが電荷を有しており、ペプチドを固定化するには界面活性剤も同様にイオン性であることが好ましいと考えられる。イオン性界面活性剤うち、アニオン界面活性剤としては、例えば、脂肪酸ナトリウムなどの脂肪酸塩（ＲＣＯＯＭ）、アルキルベンゼンスルホン酸ナトリウム等のアルキルベンゼンスルホン酸塩（ＲＳＯ3Ｍ）、ドデシル硫酸ナトリウム（ＳＤＳ）等のモノアルキル硫酸塩（ＲＳＯ4Ｍ）（以上において、Ｍはナトリウム等のアルカリ金属を表す。）が挙げられる。アニオン界面活性剤は、化学的安定性やコストの点から好ましい。より好ましくは、生体材料に対する豊富な使用実績の観点からＳＤＳである。カチオン界面活性剤としては、例えば、アルキルトリメチルアンモニウム塩、ジアルキルジメチルアンモニウム塩、アルキルベンジルジメチルアンモニウム塩等の第４級アンモニウム塩やアルキルピリジニウムが挙げられる。なお、ペプチド固定化用溶液は、１種類の界面活性剤のみ含んでいてもよいし、２種類以上含んでいてもよい。
【００２７】
また、アミノ酸構成によっては、局所的に親水性基や疎水性基が異なることから、界面活性剤の配向性を考慮すると、両性界面活性剤も好ましく用いることができる。両性界面活性剤としては、例えば、アルキルジメチルアミンオキシド、アルキルカルボキシベタインが挙げられる。
【００２８】
さらに、耐pH変化、低気泡性、低刺激性、作業安全性を考慮すると、非イオン系界面活性剤も好ましく用いることができる。非イオン系界面活性剤としては、例えば、ポリオキシエチレンアルキルエーテル、脂肪酸ソルビタンエステル、アルキルポリグルコシド、脂肪酸ジエタノールアミド、アルキリモノグリセリルエーテルが挙げられる。
【００２９】
ペプチド固定化用溶液は、さらに塩を含むことができる。塩としては、ペプチドの生理活性を損なわないものであることが好ましい。こうした塩としては、例えば、緩衝性のあるリン酸塩、クエン酸塩等が挙げられる。緩衝性の塩の種類は、また、ペプチド固定化用溶液に付与されるｐＨに応じて適宜選択される。ペプチド固定化用溶液は、さらに、必要に応じ、そのほかの溶質を含むことができる。
【００３０】
（固相担体）
ペプチド固定化用溶液を適用する固相担体の固相の構造は特に限定されない。その固相は、緻密質であってもよいし、独立気泡及び／又は連続気泡を有する多孔質であってもよい。各種形態の繊維状体を組み合わせてなる編成体、織成体及び交絡体などであってもよい。固相担体の形状も限定しない。固相担体は例えば、平坦なシート状、プレート状のほか、球状等とすることができる。ペプチドをアレイ化する場合には、固相担体としてプレート状体を用いることが好ましい。
【００３１】
ペプチドが固定化される表面は、こうした形状の固相担体の一表面であればよく、平坦な固相担体の広い表面、球状体の表面、中空部を有する場合は、その外表面であっても内表面であってもよい。こうした固相担体の材料としては、特に限定されない。例えば、ガラス、セラミックス、プラスチック、金属、木質等の天然材料であってもよい。
【００３２】
固相担体のペプチドが固定化される表面は、ペプチド固定化用溶液との親和性を考慮すると、親水性であることが好ましい。また、界面活性剤としてイオン性界面活性剤を用いるときには、界面活性剤が有するイオン（アニオン及び／又はカチオン）と反対のイオン性の官能基を有することが好ましい。典型的には、このような固相担体自体が官能基を有しているか、あるいは固相担体の表面にこうした官能基が付与されていることが好ましい。こうした官能基は特に限定されないが、水中で解離したときカチオンとなるカチオン性の官能基としては、例えば、第１級アミノ基や第２級アミノ基などのアミノ基、イミノ基が挙げられる。また、水中で解離したときアニオンとなるアニオン性官能基としては、例えば、カルボキシル基、リン酸基、スルホン酸基などが挙げられる。
【００３３】
また、固相担体は、その表面にペプチド又は別途添加される架橋剤と結合可能な官能基を備えることができる。このような官能基は特に限定するものではないが、例えば、活性エステル基、エポキシ基、マレイミド基、ホルミル基、ベンジルチオエステル基等が挙げられる。
【００３４】
以上説明したペプチド固定化用溶液は、固相担体上に供給され、固相担体上においてペプチドと界面活性剤とが共存する状態を形成することができる。これにより、既に説明した作用等を発揮することができる。ペプチド固定化用溶液を固相担体へ供給する形態は、特に限定されない。この溶液は、固相担体上において、ペプチドと界面活性剤との共存状態を形成して、ペプチドを効率よく固相担体に固定化させることを目的とするからである。好ましくは、こうした溶液を液滴として、固相担体上に供給する。このような供給形態によれば、ペプチドを容易にアレイ化できるからである。このような供給形態を実現する装置としては、ピンが固相担体上に接触する接触方式とインクジェット等に用いられる液適吐出ヘッドを介した非接触方式がある。吐出精度や効率を考慮すると、より好ましくは、液滴吐出ヘッドを介した非接触方式である。より好ましくは、圧電駆動又は静電駆動による液滴吐出ヘッドを用いる。これらの駆動方式によれば、ペプチドの変性を抑制でき、また、界面活性剤を含むペプチド固定化用溶液であっても吐出流路における気泡の発生を抑制することができる。この結果、高い精度で各液滴を吐出して、ペプチドを安定した固定化量でしかも多くのペプチドを固相担体に固定化できる。したがって、良好な固定化量でしかも液滴（評価領域）間でのペプチド固定化量の変動が抑制されたペプチドアレイを容易に形成できる。ペプチドはアミノ酸の構成によって様々な特性を呈するため、駆動力（吐出力）が大きく各ペプチド間での調整の余地が大きい圧電駆動方式を採用することが好ましい。
【００３５】
（ペプチドの固相担体へのペプチドの供給）
本発明のペプチドの固相担体上への供給方法は、固相担体上において界面活性剤とともに前記ペプチドが共存する状態を形成するように前記ペプチドを前記固相担体に供給する工程を、備えることができる。固相担体上においてこのような状態を形成することで、ペプチドと界面活性剤が相互作用して、ペプチドが固相担体上に固定化されやすくなる。
【００３６】
ペプチドの供給工程を実施するには、例えば、固相担体上に界面活性剤とペプチドとを含有する液滴を形成するようにする。このためには、予め、ペプチドと界面活性剤とを含有する本発明のペプチド固定化用溶液を準備し、この溶液を固相担体上に液滴として供給することができる。また、固相担体上に予め、ペプチド又は界面活性剤の液滴を供給しておき、その後、他方の液滴を重ねて供給するようにしてもよい。予め付与されるペプチド又は界面活性剤は、その後他方が固相担体上に供給される時点で、ペプチド又は界面活性剤を含有する液滴の状態であってもよいし、乾固されていてもよい。ペプチドと界面活性剤との相互作用の効果を発揮させるには、好ましくは、本発明のペプチド固定化用溶液を用いる。
【００３７】
なお、固相担体上にこのような液滴を形成するには、固相担体をプレート状体とし、ペプチド固定化用溶液を、圧電駆動又は静電駆動による液滴吐出方式によって液滴として前記固相担体上に吐出することが好ましい。
【００３８】
（ペプチド固定化体の製造）
本発明のペプチドが保持された固相担体の製造方法は、固相担体上において界面活性剤とともに前記ペプチドが共存する状態を形成するように前記ペプチドを前記固相担体に供給する工程と、ペプチドを固相担上に固定化する工程と、を備えることができる。この方法によれば、ペプチドと界面活性剤との相互作用により固相担体にペプチドが固定されやすくなっている。この状態で、ペプチドを固相担体に固定化することで、より多くのペプチドが固相担体上に固定される。また、固定化量のバラツキを抑制してペプチドを固定化できる。ペプチドの供給工程については、本発明のペプチドの固相担体への供給方法にて既に説明したとおりである。
【００３９】
ペプチドを固相担体に固定化する方法は特に限定されない。ペプチドと界面活性剤とが適当な溶媒、典型的には水性媒体中に共存するようにした上で、当該水性媒体を留去するよう乾燥することで、ペプチドと固相担体表面との相互作用及び／又は界面活性剤と固相担体表面との相互作用によって、ペプチドを固相担体に固定化できる。また、ペプチド及び／又は固相担体表面に架橋可能な官能基を備えているか、あるいは、ペプチドと界面活性剤のほかに水性媒体中に架橋剤を含めることで共有結合を介してペプチドを固相担体に固定化できる。共有結合の形成を伴って固定化する場合、必要に応じ、固相担体の加熱等などの処理を行うことができる。加熱などの固定化工程では、界面活性剤はそのままペプチドと共存される。所定時間加熱後、未反応物質を除去するなどの洗浄操作も必要に応じて行うことができる。洗浄操作を行った後は、界面活性剤は実質的に除去されてもよい。
【００４０】
固相担体としてプレート状体を用い、ペプチド固定化用溶液等を液滴で固相担体上に供給することで、ペプチドアレイを製造できる。既に説明したが、ペプチド固定化用溶液を、圧電駆動又は静電駆動による液滴吐出方式によって液滴として固相担体上に吐出することが好ましい。液滴（評価領域）間での液滴供給量の変動を抑制でき、結果として、ペプチド固定化量の変動が抑制されしかもペプチド固定化量が良好なペプチドアレイを製造できる。
【００４１】
（ペプチド固定化体）
本発明の製造方法によって得られる、ペプチド固定化体は、以下の構成を有することができる。すなわち、ペプチド固定化体は、固相担体と、固相担体上にある、１種又は２種以上のペプチドと１種又は２種以上の界面活性剤とをそれぞれ保持する評価領域と、を備えることができる。この固相体は、界面活性剤が洗浄等により除去される前の状態である。評価領域は、固相担体上にペプチドの評価のために準備された領域である。この評価領域内にペプチドと界面活性剤とを共存させてペプチドを固定化することで、ペプチドを評価対象とすることができる。プレート状の固相担体には、こうした評価領域をマトリックス状に配列して準備し、形成することが好ましい。
【００４２】
本発明のペプチド固定化体によれば、各評価領域において有効量のペプチドを保持し、しかも評価領域間でのペプチド固定化量のバラツキが抑制されている。このため、より信頼性の高い評価系を容易に構築することができる。
【００４３】
（ペプチドアレイ）
本発明のペプチドアレイは、プレート状の固相担体と、固相担体上にある２個以上の評価領域であって、１種又は２種以上のペプチドと１種又は２種以上の界面活性剤とをそれぞれ保持する評価領域と、を備えることができる。ペプチドアレイは、本発明のペプチド固定化体において、固相担体としてプレート状体を用い、複数個の、好ましくは数十個以上の評価領域が固相担体上にマトリックス状に準備された形態である。このようなペプチドアレイによれば、多数種類のペプチドが奏する可能性のある相互作用につき、高い信頼性でかつ効率的に評価できる。
【００４４】
本発明のペプチドアレイにあっては、固相担体上に形成された各評価領域に固定化されたペプチドのペプチド固定化量の変動係数が平均２０％以下とすることができる。より好ましくは、１０％以下であり、さらに好ましくは５％以下である。変動係数が５％以下であると、臨床検査ツールとして定量的な分析が可能である。
【００４５】
本発明のペプチドアレイは、ペプチドと他の物質との各種相互作用の検出及び評価に用いることができる。量的に有効量のペプチドを各評価領域にバラツキを抑制して固定化できるため、検出精度及び再現性の良好な評価が可能となり、相互作用の信頼性の高い評価が可能となる。本発明のペプチドアレイで検出する相互作用は特に限定しないが、例えば、プロテインキナーゼ、プロテアーゼ、加水分解酵素等の各種酵素の基質アレイ、リガンドアレイ、インヒビターアレイ、エピトープアレイ、その他の生理活性ペプチドアレイが挙げられる。
【００４６】
なお、本発明のペプチド固定化体及びペプチドアレイにおいて、固定されるペプチド、界面活性剤、固相担体、ペプチドの供給形態など、本発明のペプチド固定化用溶液、ペプチド供給方法及びペプチド固定化体の製造方法において説明した各種態様がそのまま適用される。
【００４７】
以下、本発明を、実施例を挙げて具体的に説明するが、本発明は以下の実施例に限定されるものではない。
【実施例１】
【００４８】
（界面活性剤を含有するペプチド固定化用溶液を用いたペプチドアレイの作製）
本実施例では、インクジェット方式（圧電駆動方式）のマイクロアレイ製造装置を用いてペプチドアレイを作製した。アレイの作製は、大量生産の可否をも評価するため、スポット開始から終了までの時間が、２０００枚生産相当となる条件で実施した（適宜捨て打ちを含めて実施した）。ペプチドは、作製したアレイの評価を可能とするべく、FITC標識したものを使用した。アレイの評価は、ペプチドの固定化処理を実施した上で、その固定化量を蛍光スキャナーで測定して行った。なお、ペプチドは、配列番号１〜４に記載のアミノ酸配列からなる４種類のペプチドを用い、以下に示す溶媒に溶解してペプチド固定化用溶液とした。その他のペプチドアレイの作製条件は以下の通りであった。【００４９】
配列番号１：ＮＱＦＬＰＹＰＹＹＡＫＰＡＡＶＲ
配列番号２：ＳＴＥＶＦＴＫＫＴＫＬＴＥＥＥＫ
配列番号３：ＥＫＮＲＬＮＦＬＫＫＩＳＱＲＹＱ
配列番号４：ＹＱＬＤＡＹＰＳＧＡＷＹＹＶＰＬ【００５０】
（１）ペプチド固定化用溶液
ペプチド：１６残基、４種類、２．０ｍｇ／ｍｌ
溶媒：０．１質量％ＳＤＳ、２０ｍＭ リン酸緩衝液（ｐＨ８．５）
＊ただし、粉末状の各種ペプチドに０．２質量％ＳＤＳ溶液を添加し混合後、等量の４０ｍＭリン酸緩衝液を添加し、ペプチドの溶解を光学顕微鏡にて確認して調製した。
（２）スポット数：１０２０（２５５×４種類）
（３）スポットパターン：各種ペプチドにつき１５行×１７列（ピッチ２００μｍ）
（４）スポット速度：１０２０スポット目で２０００枚生産相当となる条件（適宜捨て打ちを実施）
（５）固相担体：７６．２ｍｍ×２５．４ｍｍ×１ｍｍ（活性エステル基板）
（６）ペプチド固定化用溶液の固相担体への供給
インクジェット方式のマイクロアレイ製造装置に所定量のペプチド溶液をセットし、ペプチド固定化用溶液を上記（２）〜（４）の条件で固相担体上にスポットした。なお、スポット領域を図２に示した。
（７）ペプチドの固定化
以下の操作で、ペプチドを固相担体上に固定化した。
ａ）８０℃で１時間加熱処理をする
ｂ）（２×ＳＳＣ，０．２％ＳＤＳ）溶液に１５分間浸漬する（室温）
ｃ）（２×ＳＳＣ，０．２％ＳＤＳ）溶液に５分間浸漬する（９５℃）
ｄ）滅菌水中で１０回程度振とうする（３回）
ｅ）遠心乾燥する
（８）評価
蛍光スキャナー（ＧＥヘルスケア  バイオサイエンス製ＡｒｒａｙＷｏｒｘ）でペプチドアレイの蛍光強度を測定し、数値解析ソフト（Ａｘｏｎ社製Ｇｅｎｅ Ｐｉｘ．Ｐｒｏ）にて蛍光強度の数値化を実施した。さらに、固定化されたペプチド量を蛍光強度、そのバラツキを蛍光強度の変動係数（ＣＶ）にて評価した。また、別に、スポット径（スポット定量性）を測定してＣＶを算出した。なお、ＣＶは、標準偏差／平均値×１００(％)として算出した(以下、同じ。)。【００５１】
なお、比較例１〜３として、以下に記載する項目以外は上記と同一条件でペプチドアレイを作製した。【００５２】
（比較例１：溶媒の相違）
（１）ペプチド固定化用溶液
溶媒：５質量％ＤＭＳＯ
＊ただし、粉末状の各種ペプチドに５質量％ＤＭＳＯを添加し混合した。【００５３】
（比較例２：溶媒の相違）
（１）ペプチド固定化用溶液
溶媒：２０質量％グリセロール
＊ただし、粉末状の各種ペプチドに２０質量％グリセロールを添加し混合した。【００５４】
（比較例３：スポット径の比較）
（１）ペプチド固定化用溶液
溶媒：５０質量％ＤＭＳＯ
＊ただし、粉末状の各種ペプチドに２０質量％グリセロールを添加し混合した。
（２）スポット数：１２（３×４種類）
（３）スポットパターン：２行×６列
（４）スポット速度：装置性能に準じた速度（２０００枚生産相当の条件ではない）
（６）マイクロアレイ作製装置としてはピン方式による装置とした。【００５５】
以上の評価結果に基づいて得られた、ペプチド固定化用溶液の溶媒の種類によるペプチド固定化量（蛍光強度）の比較結果（実施例１、比較例１及び比較例２）を図３に示す。また、ペプチド固定化用溶液の供給形態（インクジェット方式及びピン方式）の違いによるスポット径の比較結果（実施例１及び比較例３）を図４に示す。【００５６】
実施例１、比較例１及び比較例２において、実施例１にあっては、４種類全てのペプチドを溶解できたが、比較例１及び比較例２にあっては、一部溶解できないペプチドがあった。実施例１、比較例１及び比較例２の全ての溶媒で溶解したペプチド（配列番号３：ＥＫＮＲＬＮＦＬＫＫＩＳＱＲＹＱ）のペプチド溶解用溶液について得られた蛍光強度（平均値）を比較した。図３に示すように、実施例１について得られた蛍光強度は、比較例１及び比較例２のそれに比較して２倍〜３倍であった。また、実施例１のＣＶ（％）は、比較例１及び比較例２のそれぞれ３／４から１／２であった。以上の結果から、実施例１のペプチド固定化用溶液は、ペプチドの固定化量を増大でき、しかも、固定化量のスポット間のバラツキも抑制されていることがわかった。【００５７】
また、図４に示すように、実施例１と比較例３とのスポット径の比較結果から、インクジェット方式によるスポット径は極めてバラツキが小さいのに対して、ピン方式によるスポット径は、ＣＶ（％）にして５倍程度に大きくばらついた。以上の結果から、インクジェット方式による液滴吐出によれば、安定したスポット径が得られ、ピン方式によるものに比較して検出精度も極めて優れていることがわかった。また、ペプチド固定化用溶液の溶媒に界面活性剤を含有していることで液滴サイズのバラツキの抑制された状態で固相担体上で液滴を供給し、保持させることができることがわかった。【００５８】
以上の結果をまとめると、ペプチド固定化用溶液として界面活性剤を用いることで、ペプチドの溶解性が高いこと、ペプチドの固定化量が多いこと、及びペプチド固定化量のバラツキが小さいというメリットが得られ、ペプチド固定化量のバラツキは大量生産を想定した条件においてさえ小さいことがわかった。また、従来法（ピン方式アレイ）に比べて、より定量的にスポットすることも可能であることがわかった。これらの結果から、界面活性剤を固定化に用いることで、高品質で大量生産可能なペプチドアレイを作製できることがわかった。
【実施例２】
【００５９】
（ペプチドアレイの保存安定性）
本実施例は、作製したペプチドアレイの保存安定性について評価した。ペプチドアレイの保存安定性を評価するため、ミルクアレルギー患者の血清を用いてアッセイを行った。ペプチドアレイは作製後、真空包装をした上、室温でデシケーター中に保存し、それぞれ２週間、１ヶ月、３ケ月及び６ヶ月経過保存した。各保存期間経過後のペプチドアレイを用いて、各々3枚についてアッセイを実施した。同日に血清を加えない状態でアッセイしたペプチドアレイを各ペプチドにおける非特異吸着のバックグラウンドとし、その平均を実際にアッセイした担体の各ペプチドにおける蛍光強度から減算した。減算した蛍光強度の平均をペプチド毎にその経時的な変遷をもって比較し、ペプチドアレイ保存安定性として評価した。なお、本実施例で使用したペプチドはミルクアレルギーのエピトープの可能性のあるペプチドを含む。これらのペプチドのアミノ酸配列（配列番号５〜３５）は以下に示す通りであった。また、以下に示す溶媒に溶解してペプチド固定化用溶液とした。その他のペプチドアレイの作製条件は以下の通りであった。【００６０】
【表１】
2009096490.tif 000003
【００６１】
（１）ペプチド固定化用溶液
ペプチド：１６残基、３１種類、２．０ｍｇ／ｍｌ
溶媒：０．１質量％ＳＤＳ、２０ｍＭ リン酸緩衝液（ｐＨ８．５）
＊上記３１種類に、poly−DL−alanine（SIGMA-ALDRICH製：P9003 M.W.1000-5000））をネガティブコントロールとして加え、合計３２種類をアレイ化した
＊ただし、粉末状の各種ペプチドに０．２質量％ＳＤＳ溶液を添加し混合後、等量の４０ｍＭリン酸緩衝液を添加し、ペプチドの溶解を光学顕微鏡にて確認して調製した。
（２）スポット数：１９２（３１種類×６回）
（３）スポットパターン：各種ペプチドにつき１２行×３列（ピッチ２００μｍ）
（４）固相担体：７６．２ｍｍ×２５．４ｍｍ×１ｍｍ（活性エステル基板）
（５）ペプチド固定化用溶液の固相担体への供給
インクジェット方式（圧電駆動方式）のマイクロアレイ製造装置に所定量のペプチド溶液をセットし、ペプチド固定化用溶液を上記（２）〜（４）の条件で固相担体上にスポットした。なお、スポット領域を図５に示した。
（６）ペプチドの固定化
保存期間経過後のペプチドアレイにつき、以下の操作で、ペプチドを固相担体上に固定化した。
ａ）８０℃で１時間加熱処理をする
ｂ）（２×ＳＳＣ，０．２％ＳＤＳ）溶液に１５分間浸漬する（室温）
ｃ）（２×ＳＳＣ，０．２％ＳＤＳ）溶液に５分間浸漬する（９５℃）
ｄ）滅菌水中で１０回程度振とうする（３回）
ｅ）遠心乾燥する
（７）イムノアッセイ
保存期間経過後、以下の手順でイムノアッセイを行った。
ａ）（５０ｍＭ Ｅｔｈａｎｏｌａｍｉｎｅ，０．１％ ＳＤＳ，０．１Ｍ Ｔｒｉｓ（ｈｙｄｒｏｘｙｍｅｔｈｙｌ）ａｍｉｎｏｍｅｔｈａｎｅ）溶液に９０分間浸漬する（室温）
ｂ）ＰＢＳ−Ｔ（１×ＰＢＳ，０．１％  Ｔｗｅｅｎ２０）溶液に５分間浸漬する（室温、３回）
ｃ）（１％  ＯＶＡ，ＰＢＳ−Ｔ）溶液で希釈した患者血清（１：１０）２００mＬアプライした担体をマイクロカバーガラス（松波ガラス社製ｓｉｚｅ  ２４×６０ｍｍ、ｔｈｉｃｋｎｅｓｓ  Ｎｏ．４）で覆い、Ｈｕｍｉｄ  ｃｈａｍｂｅｒ（Ｓｉｇｍａ社）内で１時間静置する（３７℃）
ｄ）ｃ）で反応中の担体を４℃の環境下に移し、Ｏ／Ｎ静置する
ｅ）ＰＢＳ−Ｔ溶液中でマイクロカバーガラスを外す
ｆ）ＰＢＳ−Ｔ溶液に５分間浸漬する（室温、３回）
ｇ）（１％  ＯＶＡ、ＰＢＳ−Ｔ）溶液で希釈したＧｏａｔａｎｔｉ−ｈｕｍａｎ ＩｇＥ−Ａｌｅｘａ６４７ ｐｏｌｙｃｌｏｎａｌ ａｎｔｉｂｏｄｉｅｓ（１：５００）２００mＬをｃ）と同様の手順で反応させ、暗所にて３時間静置する（室温）
ｈ）ＰＢＳ−Ｔ溶液中でマイクロカバーガラスを外す
ｉ）ＰＢＳ−Ｔ溶液に５分間浸漬する（室温、３回）
ｊ）滅菌水中で１０回程度振とうする（３回）
（８）評価
蛍光スキャナー（Agilent社製scanner model G2505B, software G2565BA/DA）でペプチドアレイの蛍光強度を測定し、数値解析ソフト（Axon社製Gene Pix.Pro）で蛍光強度の数値化を実施した。アッセイしたペプチドアレイの各ペプチドの蛍光強度の変化を比較し、保存安定性を評価した。結果を図６に示す。【００６２】
図６に示すように、ペプチドアレイの保存による蛍光強度の低下は認められなかった。すなわち、真空包装後、デシケーター中に室温保存で充分に耐えうるペプチドアレイであることがわかった。以上の結果から、本実施例で作製したペプチドアレイは、ペプチド固定化用溶液を固相担体に供給して、その後真空状態で保存することにより、作製後６ヶ月まで問題なくアッセイを行うことが可能であり、保存安定性に優れることがわかった。
【実施例３】
【００６３】
（作製したペプチドアレイのイムノアッセイにおける精度評価）
本実施例では、実施例２で作製したペプチドアレイのアッセイにおける精度を決定した。このため、ミルクアレルギー患者血清及びミルクアレルギー患者プール血清各3検体ずつを用い、アッセイを実施した。それぞれの血清につき、ペプチドアレイにおける各ペプチドの３個のスポットの蛍光強度値を測定し、これらの蛍光強度値の変動係数（CV）を算出し、これをもって作製したペプチドアレイのアッセイに対する精度評価とした。なお、イムノアッセイ及び評価については実施例２と同様にして行った。結果を図７に示す。図７は、Ｓ/N比=2をカットオフラインと定め、各ペプチドの蛍光強度における同一ペプチドアレイ（同一固相担体の意味）内CVをその蛍光強度値の平均とともにプロットして作成した。【００６４】
一般的に蛍光強度が低く検出されるシグナルでは高いものに比べ、ＣＶが大きくなる傾向にあるが、実施例２で作製したペプチドアレイはＣＶとして平均で約７．７％の値を示した。これは前もってＴａｐｉａら（Ｔａｐｉａ  Ｖ，  Ｂｏｎｇａｒｔｚ  Ｊ，  Ｓｃｈｕｔｋｏｗｓｋｉ  Ｍ，  Ｂｒｕｎｉ  Ｎ，  Ｗｅｉｓｅｒ  Ａ，  Ａｙ  Ｂ，  Ｖｏｌｋｍｅｒ  Ｒ，  Ｏｒ−Ｇｕｉｌ  Ｍ．  Ａｆｆｉｎｉｔｙ  ｐｒｏｆｉｌｉｎｇ  ｕｓｉｎｇ  ｔｈｅ  ｐｅｐｔｉｄｅ  ｍｉｃｒｏａｒｒａｙ  ｔｅｃｈｎｏｌｏｇｙ：  ａ  ｃａｓｅ  ｓｔｕｄｙ．  Ａｎａｌ  Ｂｉｏｃｈｅｍ．  ３６３，  １０８−１１８．  （２００７））により報告されたペプチドアレイ担体内でのＣＶが全体で約２８％であることを考えると、より高精度なペプチドアレイの作製を実現した。【００６５】
以上の結果から、本発明によれば、既存のインクジェット方式によるペプチドアレイ（Ｔａｐｉら）と比較し、ＣＶという観点でより精度の高い、良質なペプチドアレイの作製が可能であることがわかった。
【配列表フリーテキスト】
【００６６】
配列番号１〜３５：合成ペプチド
【図６】
2009096490.tif 000004
【図７】
2009096490.tif 000005
【図１】
2009096490.tif 000006
【図２】
2009096490.tif 000007
【図３】
2009096490.tif 000008
【図４】
2009096490.tif 000009
【図５】
2009096490.tif 000010
【配列表】
2009096490000001.app
【国際調査報告】
2009096490.tif 000011
2009096490.tif 000012
2009096490.tif 000013
2009096490.tif 000014